(57)【要約】  【目的】  表示画面を効率良く使用する。  【構成】  ハードディスクに記憶されているフォルダのうち，もっとも新しく生成されたフォルダを現在フォルダとして，その現在フォルダのアイコンを表示画面50の中央部分に表示する。その現在フォルダの前に生成されたフォルダを過去フォルダとして，その過去フォルダのアイコン51を現在フォルダのアイコン52の左側に表示する。また，未来フォルダを生成して，現在フォルダのアイコン52の右側に表示する。未来フォルダのアイコン53が表示されるので，表示画面50をバランス良く，かつ有効に使用できる。  【選択図】  図３
2006331512.tif 000002
【特許請求の範囲】
【請求項１】
フォルダの表示指令が与えられることに応じて，最後に生成された現在フォルダをファイル記憶装置の中から見つける現在フォルダ検索手段，
上記現在フォルダ検索手段によって見つけられた現在フォルダのアイコンを表示画面に表示するように表示装置を制御する現在フォルダ・アイコン表示制御手段，
上記現在フォルダ検索手段によって見つけられた現在フォルダの前に生成された過去フォルダを上記ファイル記憶装置の中から見つける過去フォルダ検索手段，
上記現在フォルダ検索手段によって現在フォルダが見つけられたことに応じて未来フォルダを生成する未来フォルダ生成手段，および
上記過去フォルダ検索手段によって見つけられた過去フォルダのアイコンと上記未来フォルダのアイコンとを上記現在フォルダ・アイコンを挟んで反対方向に表示するように上記表示装置を制御する過去／未来フォルダ・アイコン表示制御手段，
を備えたフォルダ・アイコン表示制御装置。
【請求項２】
上記最新フォルダ・アイコン表示制御手段が，
上記最新フォルダ・アイコンを表示画面の中央部分に表示するように表示装置を制御するものである，
請求項１に記載のフォルダ・アイコン表示制御装置。
【請求項３】
上記現在フォルダ検索手段が，
フォルダの表示指令が与えられることに応じて，最後に生成された最新フォルダを含み，かつ生成された順序の新しい順に複数のフォルダを現在フォルダとして見つけるものであり，
上記過去フォルダ検索手段が，
上記現在フォルダ検索手段によって見つけられた複数のフォルダの前に生成された複数の過去フォルダを見つけるものであり，
上記未来フォルダ生成手段が，
複数の未来フォルダを生成するものであり，
上記現在フォルダ・アイコン表示制御手段が，
上記現在フォルダ検索手段によって見つけられた複数のフォルダを同一円周上に表示するように上記表示装置を制御するものであり，
上記過去／未来フォルダ・アイコン表示制御手段が，
同一円周上に表示された複数の現在フォルダの内側または外側に上記過去フォルダ検索手段によって見つけられた複数の過去フォルダを表示し，同一円周上に表示された複数の現在フォルダの外側または内側に上記未来フォルダ生成手段によって生成された複数の未来フォルダを表示するように上記表示装置を制御するものである，
請求項１に記載のフォルダ・アイコン表示制御装置。
【請求項４】
上記過去フォルダ，上記現在フォルダおよび上記未来フォルダは，それぞれ画像ファイルを格納する画像フォルダであり，
上記現在フォルダに格納されている画像ファイルによって表される画像から人物像を抽出する人物像抽出手段，
上記人物像抽出手段によって抽出された人物像とテンプレート画像とを合成して合成画像ファイルを生成する合成画像ファイル生成手段，および
上記合成画像ファイル生成手段によって生成された合成画像ファイルを上記未来フォルダ生成手段によって生成された未来フォルダに格納する格納手段，
をさらに備えた請求項１に記載のフォルダ・アイコン表示制御装置。
【請求項５】
上記過去フォルダ，上記現在フォルダおよび上記未来フォルダはそれぞれ音楽ファイルを格納する音楽フォルダであり，
サンプル音楽ファイル送信要求を音楽サーバに送信するサンプル音楽リクエスト手段，
上記サンプル音楽リクエスト手段からの送信要求に応じて上記音楽サーバから送信されるサンプル音楽ファイルを受信するサンプル音楽ファイル受信手段，および
上記サンプル音楽ファイル受信手段によって受信したサンプル音楽ファイルを上記未来フォルダに格納する格納手段，
を備えた請求項１に記載のフォルダ・アイコン表示制御装置。
【請求項６】
音楽ファイルを記憶する音楽ファイル記憶手段，
上記音楽ファイル記憶手段に記憶されている音楽ファイルによって出力される音楽に類似する音楽を決定する類似音楽決定手段，
上記類似音楽決定手段によって決定した類似音楽に関するデータの送信要求を音楽サーバに送信する類似音楽関連データ送信手段，
上記類似音楽関連データ送信手段から送信された類似音楽に関するデータの送信要求に応じて上記音楽サーバから送信される類似音楽に関するデータを受信する類似音楽関連データ受信手段，および
上記類似音楽関連データ受信手段によって受信した類似音楽に関するデータを上記未来フォルダに格納する格納手段，
を備えた請求項１に記載のフォルダ・アイコン表示制御装置。
【請求項７】
フォルダの表示指令が与えられることに応じて，最後に生成された現在フォルダをファイル記憶装置の中から見つけ，
見つけられた現在フォルダのアイコンを表示画面に表示するように表示装置を制御し，
見つけられた現在フォルダの前に生成された過去フォルダを上記ファイル記憶装置の中から見つけ，
現在フォルダが見つけられたことに応じて未来フォルダを生成し，
見つけられた過去フォルダのアイコンと上記未来フォルダのアイコンとを上記現在フォルダ・アイコンを挟んで反対方向に表示するように上記表示装置を制御する，
フォルダ・アイコン表示制御方法。
【請求項８】
フォルダの表示指令が与えられることに応じて，最後に生成された現在フォルダをファイル記憶装置の中から見つけさせ，
見つけられた現在フォルダのアイコンを表示画面に表示するように表示装置を制御させ，
見つけられた現在フォルダの前に生成された過去フォルダを上記ファイル記憶装置の中から見つけさせ，
現在フォルダが見つけられたことに応じて未来フォルダを生成させ，
見つけられた過去フォルダのアイコンと上記未来フォルダのアイコンとを上記現在フォルダ・アイコンを挟んで反対方向に表示させるように上記表示装置を制御するフォルダ・アイコン表示制御装置のプログラム。
【発明の詳細な説明】
【技術分野】
【０００１】
この発明は，フォルダ・アイコン表示制御装置ならびにその方法およびそのプログラムに関する。
【背景技術】
【０００２】
家電や携帯型端末装置がパーソナル・コンピュータ化するにつれて，それらの家電や携帯型端末装置が複数のデータを取り扱うことや複数の機能をもつことができるようになってきた。このために，家電や携帯型端末装置は，簡便でかつ簡易なＧＵＩ（グラフィカル・ユーザ・インターフェイス）が必要となってきた。そのようなＧＵＩとして横方向の操作が機能選択操作となり，縦方向の操作がコンテンツ選択操作となるものがある（特許文献１）。また，コンテンツを選択する操作を簡易化するものもある（特許文献２）。
【特許文献１】特開2004-356774号公報
【特許文献２】特開2001-312350号公報
【０００３】
しかしながら，いずれものも表示画面の利用効率が高いとは必ずしもいえず，表示画面に無駄な部分が生じている。特に，表示画面の小さな家電や携帯型端末装置においては，表示画面の利用効率を向上する必要がある。
【発明の開示】
【０００４】
この発明は，表示画面の利用効率を向上させることを目的とする。
【０００５】
この発明によるフォルダ・アイコン表示制御装置は，フォルダの表示指令が与えられることに応じて，最後に生成された現在フォルダをファイル記憶装置の中から見つける現在フォルダ検索手段，上記現在フォルダ検索手段によって見つけられた現在フォルダのアイコンを表示画面に表示するように表示装置を制御する現在フォルダ・アイコン表示制御手段，上記現在フォルダ検索手段によって見つけられた現在フォルダの前に生成された過去フォルダを上記ファイル記憶装置の中から見つける過去フォルダ検索手段，上記現在フォルダ検索手段によって現在フォルダが見つけられたことに応じて未来フォルダを生成する未来フォルダ生成手段，および上記過去フォルダ検索手段によって見つけられた過去フォルダのアイコンと上記未来フォルダのアイコンとを上記現在フォルダ・アイコンを挟んで反対方向に表示するように上記表示装置を制御する過去／未来フォルダ・アイコン表示制御手段を備えていることを特徴とする。
【０００６】
この発明は，上記フォルダ・アイコン表示制御装置に適した制御方法も提供している。すなわち，この方法は，フォルダの表示指令が与えられることに応じて，最後に生成された現在フォルダをファイル記憶装置の中から見つけ，見つけられた現在フォルダのアイコンを表示画面に表示するように表示装置を制御し，見つけられた現在フォルダの前に生成された過去フォルダを上記ファイル記憶装置の中から見つけ，現在フォルダが見つけられたことに応じて未来フォルダを生成し，見つけられた過去フォルダのアイコンと上記未来フォルダのアイコンとを上記現在フォルダ・アイコンを挟んで反対方向に表示するように上記表示装置を制御するものである。
【０００７】
この発明は，フォルダ・アイコン表示制御装置に適したプログラムも提供している。
【０００８】
この発明によると，フォルダの表示指令が与えられると，最後に生成された現在フォルダがファイル記憶装置の中から見つけられる。見つけられた現在フォルダのアイコンが表示装置の表示画面に表示される。また，現在フォルダの前に生成された過去フォルダが見つけられる。さらに，未来フォルダが生成される。見つけられた過去フォルダのアイコンと生成された未来フォルダのアイコンとが現在フォルダのアイコンを挟んで反対方向に表示される。未来フォルダのアイコンが生成され，その生成された未来フォルダのアイコンと過去フォルダのアイコンとによって現在フォルダのアイコンが挟まれて表示されるので，現在フォルダのアイコンが端にならない。現在フォルダおよび過去フォルダだけでなく，未来フォルダも表示されるので，表示画面を比較的効率良く使用できる。
【０００９】
上記最新フォルダ・アイコン表示制御手段は，好ましくは，上記最新フォルダ・アイコンを表示画面の中央部分に表示するように表示装置を制御する。利用する割合の高い現在フォルダが表示画面のほぼ中央に表示されるので，利用しやすくなる。
【００１０】
上記現在フォルダ検索手段は，フォルダの表示指令が与えられることに応じて，最後に生成された最新フォルダを含み，かつ生成された順序の新しい順に複数のフォルダを現在フォルダとして見つけるものでもよい。この場合，上記過去フォルダ検索手段は，上記現在フォルダ検索手段によって見つけられた複数のフォルダの前に生成された複数の過去フォルダを見つけるものとなろう。また，上記未来フォルダ生成手段は，複数の未来フォルダを生成するものとなり，上記現在フォルダ・アイコン表示制御手段は，上記現在フォルダ検索手段によって見つけられた複数のフォルダを同一円周上に表示するように上記表示装置を制御するものとなる。さらに，上記過去／未来フォルダ・アイコン表示制御手段は，同一円周上に表示された複数の現在フォルダの内側または外側に上記過去フォルダ検索手段によって見つけられた複数の過去フォルダを表示し，同一円周上に表示された複数の現在フォルダの外側または内側に上記未来フォルダ生成手段によって生成された複数の未来フォルダを表示するように上記表示装置を制御するものとなろう。
【００１１】
上記過去フォルダ，上記現在フォルダおよび上記未来フォルダは，それぞれ画像ファイルを格納する画像フォルダの場合には，上記現在フォルダに格納されている画像ファイルによって表される画像から人物像を抽出する人物像抽出手段，上記人物像抽出手段によって抽出された人物像とテンプレート画像とを合成して合成画像ファイルを生成する合成画像ファイル生成手段，および上記合成画像ファイル生成手段によって生成された合成画像ファイルを上記未来フォルダ生成手段によって生成された未来フォルダに格納する格納手段をさらに備えるとよい。未来フォルダには合成画像ファイルが格納されるので，思いもよらない画像などを閲覧できるようになるという楽しみもある。
【００１２】
上記過去フォルダ，上記現在フォルダおよび上記未来フォルダはそれぞれ音楽ファイルを格納する音楽フォルダの場合には，サンプル音楽ファイル送信要求を音楽サーバに送信するサンプル音楽リクエスト手段，上記サンプル音楽リクエスト手段からの送信要求に応じて上記音楽サーバから送信されるサンプル音楽ファイルを受信するサンプル音楽ファイル受信手段，および上記サンプル音楽ファイル受信手段によって受信したサンプル音楽ファイルを上記未来フォルダに格納する格納手段を備えるとよい。未来フォルダにはサンプル音楽ファイルが格納されるので，サンプル音楽を視聴できるようになる。
【００１３】
音楽ファイルを記憶する音楽ファイル記憶手段，上記音楽ファイル記憶手段に記憶されている音楽ファイルによって出力される音楽に類似する音楽（同じアーティストの音楽，同じジャンルの音楽など）を決定する類似音楽決定手段，上記類似音楽決定手段によって決定した類似音楽に関するデータの送信要求を音楽サーバに送信する類似音楽関連データ送信手段，上記類似音楽関連データ送信手段から送信された類似音楽に関するデータの送信要求に応じて上記音楽サーバから送信される類似音楽に関するデータ（ジャケット画像データ，サンプル音楽データ，プロモーション音楽データなど）を受信する類似音楽関連データ受信手段，および上記類似音楽関連データ受信手段によって受信した類似音楽に関するデータを上記未来フォルダに格納する格納手段を備えてもよい。未来フォルダには，類似音楽関連データが格納されるので，音楽ビジネスの事業者はプロモーションができるようになる。
【実施例】
【００１４】
図１は，この発明の実施例を示すものでハードディスク・レコーダの電気的構成を示すブロック図である。
【００１５】
ハードディスク・レコーダ１の全体の動作は，ＣＰＵ11によって統括される。
【００１６】
ハードディスク・レコーダ１には，後述する動作を行うプログラムが格納されているＲＯＭ24が含まれている。また，入力装置25が設けられており，この入力装置25から与えられる入力信号にもとづいて動作する。
【００１７】
ハードディスク・レコーダ１には，衛星アンテナ２が設けられており，衛星放送を受信することができる。衛星アンテナ２によって受信される衛星放送は，チューナ３によって所望のチャネルの衛星放送データが取り出される。衛星放送データはディジタル復調回路４においてディジタル復調が行われ，エラー訂正回路５においてエラー訂正処理が行われる。エラー訂正された衛星放送データはデマルチプレクサ６，衛星放送データＭＰＥＧ（ｍｏｖｉｎｇ  ｐｉｃｔｕｒｅ  ｅｘｐｅｒｔｓ  ｇｒｏｕｐ）デコーダ12およびＯＳＤ（ｏｎ  ｓｃｒｅｅｎ  ｄｅｖｉｃｅ）13を介して表示装置14に与えられる。衛星放送が表示装置14の表示画面に表示される。また，ＭＰＥＧデコーダ12から音声信号が出力されスピーカ15に与えられることにより，音声が出力される。
【００１８】
ハードディスク・レコーダ１には，地上波アンテナ７も設けられており，地上波テレビジョン放送を受信することができる。地上波アンテナ７によって受信された地上波テレビジョン放送信号は，チューナ８によって所望のチャネルの地上波放送信号が取り出される。地上波放送信号は，ビデオ・デコーダ９によってデコード処理が行われてＭＰＥＧエンコーダ10においてエンコードされる。エンコードされた地上波放送信号がＭＰＥＧデコーダ12およびＯＳＤ処理回路13を介して表示装置14に与えられることにより，地上波放送が表示装置14の表示画面に表示される。
【００１９】
ハードディスク・レコーダ１には，通信回路18が設けられており，ネットワークを介して通信回路18に画像（静止画）ファイル，動画ファイル，音楽ファイルなどの各種ファイルが入力する。また，ハードディスク・レコーダ１には，ＩＣカード・インターフェイス20も設けられており，ＩＣカード19に格納されているファイルを入力することができる。ハードディスク・レコーダ１に入力したファイルは，フラッシュ・メモリ23に一時的に記憶され，フラッシュ・メモリ23から読み取られることによりハードディスク・ドライバ21を用いてハードディスク22に記録される。
【００２０】
ハードディスク・レコーダ１は，パーソナル・コンピュータと同様にファイルをフォルダの中に格納することができる。フォルダは，入力装置25からの指令に応じて生成される。生成されたフォルダの中に上述した各種ファイルが格納される。
【００２１】
図２は，フォルダのアイコンを表示する処理手順を示すフローチャートである。入力装置25からハードディスク22に記録されているコンテンツ（ファイル）の選択指令が入力されることにより，フォルダ表示が開始する。図３は，表示装置14の表示画面に表示されるアイコンの一例である。
【００２２】
この処理は，図３に示すように，表示装置14の表示画面50のほぼ中央部に最後に生成された最新のフォルダ（現在フォルダ）のアイコン52を表示し，このアイコン52の左側に現在フォルダの直前に生成されたフォルダ（過去フォルダ）のアイコン51を表示し，現在フォルダ52の右側に未来フォルダと呼ばれるアイコン53を表示するものである。現在フォルダのアイコン52を中央部に表示した場合でも未来フォルダのアイコン53が現在フォルダのアイコン52の右側に表示されるので，未来フォルダのアイコン53が表示されない場合に比べ表示画面50を効率良く利用できる。また，全体の表示バランスも向上する。
【００２３】
ハードディスク22に記録されているフォルダが読み取られ（ステップ31），読み取られたフォルダの生成日時が最新のものかどうかがチェックされる。ハードディスク22に記録されているすべてのフォルダの生成日時を確認して，読み取られたフォルダの生成日時が最新かどうかを確認できる。もっともハードディスク22に記録されているすべてのフォルダの生成日時を確認したあとに，最新のフォルダを読み取るようにしてもよい。いずれにしても読み取られたフォルダが最新のものであれば（ステップ22でＹＥＳ），そのフォルダが最新の現在フォルダとして図３に示すように，表示画面50のほぼ中央部に現在フォルダのアイコン52が表示される（ステップ33）。
【００２４】
再び，ハードディスク22からフォルダが読み取られ（ステップ34），読み取られたフォルダの生成日時が最新の現在フォルダの直前に生成されたものかどうかが上述と同様にチェックされる（ステップ35）。最新の直前に生成されたフォルダが読み取られると（ステップ35でＹＥＳ），読み取られたフォルダのアイコンが過去フォルダのアイコンとして現在フォルダのアイコン52の左側に表示される（ステップ36）。
【００２５】
つづいて，未来フォルダが生成される（ステップ37）。すると，未来フォルダのアイコン53が現在フォルダ52の右側に表示されることとなる（ステップ38）。
【００２６】
このようにして，図３に示すように，表示画面50のほぼ中央部に現在フォルダのアイコン52が表示され，この現在フォルダのアイコン52の左側に過去フォルダのアイコン51が表示され，現在フォルダのアイコン52の右側に未来フォルダのアイコン53が表示される。未来フォルダが生成されることにより，表示画面50を有効にバランス良く利用できる。もっとも，現在フォルダのアイコン52の右側に過去フォルダのアイコン51を表示して，現在フォルダのアイコン52の左側に未来フォルダのアイコン53を表示するようにしてもよい。複数の過去フォルダのアイコンまたは複数の未来フォルダのアイコンを現在フォルダのアイコン52の左側または右側に表示するようにしてもよい。
【００２７】
フォルダの生成リストを生成しておき，フォルダが生成されるごとにそのフォルダの生成リストを更新するようにしてもよい。フォルダの生成リストを参照することにより，現在フォルダおよび過去フォルダを簡単に見つけることができる。
【００２８】
図４は，表示画面50に表示されるアイコンの他の例を示している。
【００２９】
表示画面50のほぼ中央部に上述のように現在フォルダのアイコン52が表示されている。このアイコン52の下に過去フォルダのアイコン51が表示されている。また，現在フォルダのアイコン52の上には未来フォルダのアイコン53が表示されている。このように，現在フォルダのアイコン52の下に過去フォルダのアイコン51を表示して，現在フォルダのアイコン52の上に未来フォルダのアイコン53を表示するようにしてもよい。また，逆に現在フォルダのアイコン52の上に過去フォルダのアイコン51を表示して，現在フォルダのアイコン52の下に未来フォルダのアイコン53を表示するようにしてもよい。
【００３０】
図５はフォルダのアイコンを表示する他の処理手順を示すフローチャート，図６は表示画面に表示されるフォルダのアイコンの一例である。
【００３１】
この実施例においては，図６に示すように３つの同心円70，80および90が規定されている。これらの同心円70，80および90は，表示画面50上に表示されてもよいし，表示されなくともよい。３つの同心円のうち，もっとも外側の同心円90ともっとも内側の同心円70との間の同心円80が第１の同心円80であり，内側の同心円70が第２の同心円70であり，外側の同心円90が第３の同心円90である。
【００３２】
この実施例においては，第１の同心円80上に現在フォルダのアイコン81，82，83が表示され，第２の同心円70上に過去フォルダのアイコン71，72，73が表示され，第３の同心円90上に未来フォルダのアイコン91，92，93が表示される。もっとも，同心円70上に未来フォルダのアイコンを表示し，同心円80上に現在フォルダのアイコンを表示し，同心円90上に過去フォルダのアイコンを表示するようにしてもよい。
【００３３】
ハードディスク22からフォルダが読み取られ（ステップ61），最新のものかどうかが確認される（ステップ62）。最新フォルダであれば（ステップ62でＹＥＳ），読み取られたフォルダのアイコンが第１の同心円80上に表示される（ステップ63）。再び，フォルダが読み取られ（ステップ64），読み取られたフォルダが次に最新のものかどうかが確認される（ステップ65）。
【００３４】
次に最新のものでなければ（ステップ65でＮＯ），再びフォルダが読み取られる。次に最新のものであれば（ステップ65でＹＥＳ），第１の同心円80に表示されている現在フォルダのアイコンの数がすでに３個あるか確認される（ステップ66）。まだ，３個表示されていなければ（ステップ66でＮＯ），読み取られたフォルダのアイコンが第１の同心円80上に表示される（ステップ63）。すでに３個の現在フォルダのアイコンが第１の同心円80上に表示されていると（ステップ66でＹＥＳ），読み取られたフォルダは過去フォルダとなる。第２の同心円70に表示されているフォルダ（過去フォルダ）のアイコンがすでに３個あるかどうかが確認される（ステップ67）。まだ，３個表示されていなければ（ステップ67でＮＯ），読み取られたフォルダが過去フォルダとして第２の同心円70上に表示される（ステップ68）。第２の同心円70上に３個の過去フォルダのアイコンが表示されるまでステップ64から68までの処理が繰り返される。
【００３５】
第２の同心円70上に表示されている過去フォルダのアイコンが３個となると（ステップ67でＹＥＳ），第３の同心円90上に未来フォルダのアイコンが３個表示される（ステップ69）。
【００３６】
このようにして，表示画面50には，第１の同心円80上に現在フォルダの３個アイコン81，82および83が表示され，第２の同心円70上に過去フォルダの３個のアイコン71，72および73が表示され，第３の同心円90上に未来フォルダの３個のアイコン91，92および93が表示される。このような表示方法によってもユーザは表示画面50を有効に利用できる。上述の実施例においては，それぞれの同心円70，80，90上にアイコンが３個表示されているが，異なる数のアイコンを表示するようにしてもよい。
【００３７】
図７から図９（Ａ）および（Ｂ）は，変形例を示すものである。この変形例においては，上述のようにして生成された未来フォルダに，合成画像ファイルを格納するものである。
【００３８】
まず，現在フォルダまたは過去フォルダに格納されている任意の画像ファイル（最新の画像ファイルでもよいし，その他の画像ファイルでもよい）が見つけ出され，その画像ファイルによって表される画像から人物像が抽出される（ステップ101）。たとえば，図８（Ａ）に示すように，人物像110が含まれている画像110が見つけ出されると，その画像110の中から図８（Ｂ）に示すように人物像111が抽出される。
【００３９】
つづいて，テンプレート画像を表すファイルがハードディスク22に記録されているかどうかが確認される（ステップ102）。テンプレート画像ファイルがハードディスク22に記録されていなければ（ステップ102でＮＯ），テンプレート画像ファイルが画像サーバなどからダウンロードされる（ステップ103）。
【００４０】
テンプレート画像が得られると，得られたテンプレート画像と抽出された人物像とが合成され，合成画像が生成される（ステップ104）。たとえば，図９（Ａ）に示すようにテンプレート画像112が得られると，図８（Ｂ）に示したように抽出された人物像と合成され，図９（Ｂ）に示すように合成画像113が生成される。このようにして生成された合成画像を表す合成画像ファイルが上述した未来フォルダに格納される。
【００４１】
未来フォルダに合成画像ファイルが格納されることにより，未来フォルダが開かれると，その合成画像ファイルのアイコンが現れる。合成画像ファイルが開かれることにより，合成画像が表示装置16の表示画面上に表示されるようになる。テンプレート画像に行楽地の画像を使用することにより，抽出された人物像の人物がその行楽地に行ったかのような画像が表示されるようになる。これにより，その行楽地に訪れるように促すという展開にもつながる。
【００４２】
図10および図11は，他の変形例を示すものである。図10は，ネットワーク・システムの概要を示し，図11は，ネットワーク・システムの処理手順を示すフローチャートである。
【００４３】
この処理手順は，未来フォルダにプロモーション用の音楽ファイル等を格納するものである。
【００４４】
図10を参照して，ネットワークを介してハードディスク・レコーダ１と音楽販売用サーバ121とプロモーション音楽配信サーバ122とが接続される。
【００４５】
ハードディスク・レコーダ１から音楽販売用サーバ121に音楽ファイルの購入リクエストが送信される。すると，ハードディスク・レコーダ１のユーザに音楽ファイルが販売され，音楽販売用サーバ121からハードディスク・レコーダ１に音楽ファイルが送信される。ハードディスク・レコーダ１に音楽ファイルが受信されることにより，上述したように現在フォルダにその音楽ファイルが格納される。
【００４６】
図11を参照して，上述のようにして現在フォルダまたは過去フォルダに格納された音楽ファイルからメタ・データが抽出される（ステップ131）。抽出されたメタ・データから，その音楽ファイルの音楽のアーティスト（音楽ジャンル）が分かるので，そのアーティストのプロモーション音楽の要求がハードディスク・レコーダ１からプロモーション音楽配信サーバ122に送信される（ステップ132）。
【００４７】
ハードディスク・レコーダ１からのプロモーション音楽の要求がプロモーション音楽配信サーバ122において受信されると，要求に応じたアーティスト（音楽ジャンル）のプロモーション音楽が見つけられる（ステップ141）。見つけられたプロモーション音楽のファイル（サンプル音楽ファイル）がプロモーション音楽配信サーバ122からハードディスク・レコーダ１に送信される（ステップ142）。
【００４８】
プロモーション音楽配信サーバ122から送信されたプロモーション音楽ファイルがハードディスク・レコーダ１において受信されると（ステップ133），その受信したプロモーション音楽ファイルが未来フォルダに格納される（ステップ134）。未来フォルダを開き，プロモーション音楽ファイルを開くことにより，プロモーション音楽を聴くことができる。音楽事業者としては，ハードディスク・レコーダのユーザが未来に購入するであろう音楽ファイルを知らせることができるようになる。また，プロモーション音楽ファイルではなく，購入した音楽ファイルに関するジャケット画像，アーティストの画像のファイルなどを送信するようにしてもよい。
【００４９】
上述した実施例において複数のファイルを未来フォルダに格納するようにしてもよい。さらに，図６に示すように複数の未来フォルダが表示される場合には，それぞれの未来フォルダに，上述のようにして抽出された人物像から近い将来，比較的近い将来，遠い将来のそれぞれの画像を生成し，それぞれの画像ファイルを未来フォルダに格納するようにしてもよい。
【図面の簡単な説明】
【００５０】
【図１】ハードディスク・レコーダの電気的構成を示すブロック図である。
【図２】フォルダ・アイコンの表示処理手順を示すフローチャートである。
【図３】フォルダ・アイコンの表示例を示している。
【図４】フォルダ・アイコンの表示例を示している。
【図５】フォルダ・アイコンの他の処理手順を示すフローチャートである。
【図６】フォルダ・アイコンの表示例を示している。
【図７】合成画像の生成処理手順を示すフローチャートである。
【図８】（Ａ）は人物像が含まれている画像の一例を，（Ｂ）は抽出された人物像の一例を示している。
【図９】（Ａ）はテンプレート画像の一例を，（Ｂ）は合成画像の一例を示している。
【図１０】ネットワーク・システムの概要を示している。
【図１１】ハードディスク・レコーダとプロモーション音楽配信サーバとの処理手順を示している。
【符号の説明】
【００５１】
１  ハードディスク・レコーダ
11  ＣＰＵ
14  表示装置
22  ハードディスク
50  表示画面
51，71，72，73  過去フォルダ・アイコン
52，81，82，83  現在フォルダ・アイコン
53，91，92，93  未来フォルダ・アイコン
【図１】
2006331512.tif 000003
【図２】
2006331512.tif 000004
【図３】
2006331512.tif 000005
【図４】
2006331512.tif 000006
【図５】
2006331512.tif 000007
【図６】
2006331512.tif 000008
【図７】
2006331512.tif 000009
【図８】
2006331512.tif 000010
【図９】
2006331512.tif 000011
【図１０】
2006331512.tif 000012
【図１１】
2006331512.tif 000013